(57)【要約】【課題】側面の剥離や断裂等を抑制するウインドウ型ＢＧＡパッケージを提供する。【解決手段】基板２１０、第一チップ２２０、ダイアタッチ部材２３０、複数の第一ボンディングワイヤ２４０、封止体２５０及び複数の外接端子２６０を備える。基板２１０はダイアタッチ凹部２１３及びスロット２１４を有する。第一チップ２２０は、ダイアタッチ凹部２１３に設置され、側面２２３を有する。ダイアタッチ部材２３０はダイアタッチ凹部２１３の内に形成される。ダイアタッチ凹部２１３はダイアタッチ部材２３０の形状を制限し、ダイアタッチ部材２３０が側面２２３群と周縁２１３Ａとの間の間隙に充填され、且つ側面２２３群の一部を被覆する。第一ボンディングワイヤ２４０群はスロット２１４を通過して第一チップ２２０と基板２１０とを電気接続する。封止体２５０は第一チップ２２０と第一ボンディングワイヤ２４０群とを密封する。【選択図】図２
2010073994.tif 000002
【特許請求の範囲】
【請求項１】
内部表面、外部表面、前記内部表面に形成したダイアタッチ凹部及び前記外部表面から前記ダイアタッチ凹部までを貫通するスロットを有する基板と、
前記ダイアタッチ凹部に照準を合わせて前記基板の前記内部表面上に設置され、第一主面、第一背面及び前記第一主面と前記第一背面との間の複数の側面を有する第一チップと、
前記ダイアタッチ凹部の内に形成されて前記第一チップの前記第一主面を貼り付け、前記ダイアタッチ凹部により形状が制限されるので、前記第一チップの前記側面群と前記ダイアタッチ凹部の周縁との間の間隙に充填可能であり、且つ前記第一チップの前記側面群の一部までを被覆するダイアタッチ部材と、
前記スロットを通過して前記第一チップと前記基板とを電気接続する複数の第一ボンディングワイヤと、
前記基板の前記内部表面に形成されるだけでなく、前記スロットに十分に充填されて前記第一チップと前記第一ボンディングワイヤ群とを密封する封止体と、
前記基板の前記外部表面に設置される複数の外接端子と、
を備えることを特徴とするウインドウ型ＢＧＡパッケージ。
【請求項２】
前記第一チップは更に前記第一主面を被覆する不活性化層を有し、前記不活性化層は前記ダイアタッチ凹部の内に完全に埋め込まれ、且つ前記ダイアタッチ凹部の周縁は前記第一チップの外に位置するとともに、前記第一チップの前記側面群に緊密接近することにより、前記不活性化層の周辺縁部は前記ダイアタッチ部材に密封されることを特徴とする請求項１に記載のウインドウ型ＢＧＡパッケージ。
【請求項３】
前記ダイアタッチ凹部の深さが前記ダイアタッチ部材と前記不活性化層との厚み合計より大きくなって前記第一チップの厚みより小さくなることにより、前記第一チップの一部はダイアタッチ凹部の内に埋め込まれることを特徴とする請求項２に記載のウインドウ型ＢＧＡパッケージ。
【請求項４】
前記ダイアタッチ部材は更に前記スロットの内に拡散することを特徴とする請求項１に記載のウインドウ型ＢＧＡパッケージ。
【請求項５】
前記ダイアタッチ部材は更に前記第一ボンディングワイヤ群を前記第一チップの一端に密封することを特徴とする請求項４に記載のウインドウ型ＢＧＡパッケージ。
【請求項６】
前記基板は梯形ギャップを有し、前記梯形ギャップは前記外部表面と前記スロットとの側辺に形成されることを特徴とする請求項１に記載のウインドウ型ＢＧＡパッケージ。
【請求項７】
前記第一チップは前記第一主面に形成した第一ボンディングパッド群を有し、前記第一ボンディングパッド群は前記スロットの内に照準を合わせて前記第一ボンディングワイヤ群と接合するのに用いられ、
背中合わせに前記第一チップの前記第一背面上に設置されて複数の第二ボンディングパッドを有する第二チップと、
前記第二ボンディングパッド群を前記基板に電気接続する第二ボンディングワイヤと、
をさらに備えることを特徴とする請求項１に記載のウインドウ型ＢＧＡパッケージ。
【請求項８】
基板を提供し、前記基板は内部表面、外部表面、前記内部表面に形成したダイアタッチ凹部及び前記外部表面から前記ダイアタッチ凹部までを貫通するスロットを有し、且つ前記ダイアタッチ凹部の内にダイアタッチ部材を形成するステップと、
第一チップを設置し、前記第一チップは第一主面、第一背面及び前記第一主面と前記第一背面との間の複数の側面を有し、前記ダイアタッチ凹部に照準を合わせて前記ダイアタッチ部材で前記第一チップの前記第一主面を前記基板の前記内部表面に仮に貼り付けるステップと、
ワイヤボンディングを行って複数の第一ボンディングワイヤを形成し、前記第一ボンディングワイヤ群を前記スロットを通過させて前記第一チップを前記基板に電気接続するステップと、
前記第一チップに圧力を印加し、前記ダイアタッチ部材の形状をダイアタッチ凹部により制限することにより、前記ダイアタッチ部材が拡散して前記第一チップの側面群とダイアタッチ凹部の周縁との間の間隙に流れ込み、更に前記第一チップの前記側面群の一部までを被覆するダイアタッチ拡散ステップと、
封止体を形成し、前記封止体は前記基板の前記内部表面に形成されかつ前記スロットに十分に充填されて前記第一チップと前記第一ボンディングワイヤ群とを密封するステップと、
複数の外接端子を設置し、前記外接端子群は前記基板の前記外部表面に設置されるステップと、
を含むことを特徴とするウインドウ型ＢＧＡパッケージの製造方法。
【請求項９】
前記第一チップは更に前記第一主面を被覆する不活性化層を有し、前記ダイアタッチ拡散ステップにおいて、前記不活性化層は前記ダイアタッチ凹部の内に完全に埋め込まれ、且つ前記ダイアタッチ凹部の周縁は前記第一チップの外に位置するが、前記第一チップの前記側面群に緊密接近することにより、前記不活性化層の周辺縁部は前記ダイアタッチ部材に密封されることを特徴とする請求項８に記載のウインドウ型ＢＧＡパッケージの製造方法。
【請求項１０】
前記ダイアタッチ拡散ステップにおいて、前記ダイアタッチ部材は更に前記スロットの内に拡散することを特徴とする請求項８に記載のウインドウ型ＢＧＡパッケージの製造方法。
【請求項１１】
前記ダイアタッチ部材は更に前記第一ボンディングワイヤ群を前記第一チップの一端に密封することを特徴とする請求項８に記載のウインドウ型ＢＧＡパッケージの製造方法。
【請求項１２】
前記第一チップは前記第一主面に形成した第一ボンディングパッド群を有し、前記第一ボンディングパッド群は前記スロットの内に照準を合わせて前記第一ボンディングワイヤ群と接合するのに用いられ、
更に、第二チップを設置し、前記第二チップは背中合わせに前記第一チップの前記第一背面上に設置されて複数の第二ボンディングパッドを有し、且つ複数の第二ボンディングワイヤを形成し、前記第二ボンディングワイヤ群は前記第二ボンディングパッド群を前記基板に電気接続するステップを含むことを特徴とする請求項８に記載のウインドウ型ＢＧＡパッケージの製造方法。
【発明の詳細な説明】
【技術分野】
【０００１】
本発明は半導体装置に関し、特に一種のウインドウ型ＢＧＡパッケージ及びその製造方法に関する。
【背景技術】
【０００２】
様々な半導体装置のパッケージ形態においては、ウインドウ型ＢＧＡパッケージはチップ搭載する基板に貫通する１つのスロットを設け、基板と基板の上方にあるチップとを電気接続するように用いるボンディングワイヤはスロットを通過し、且つウインドウ型ＢＧＡパッケージは外部と電気接続ができるように外接端子用の半田ボールを基板の下方に接合する。チップを基板上に貼り付けることに用いる液体や稠密なダイアタッチ部材は、ダイアタッチ時の加熱と加圧の過程において流動的であるためオーバーフロー現象が発生し、更にチップのボンディングパッドにまで広がってワイヤボンディングを行うことができなくなる。よって、現在のウインドウ型ＢＧＡパッケージには、オーバーフローの不具合を避けるため液体や稠密なダイアタッチ部材の代わりにダイアタッチテープしか用いることができないが、コストが高くなる。チップのダイアタッチテープに貼り付けられる部位はチップの主面だけであり且つ平面状となって応力の影響を受け易いので、チップの側面には剥離や断裂等の問題が起き、従来のウインドウ型ＢＧＡパッケージに対する信頼性や品質は低くなる。
【０００３】
図１に示すように、周知のウインドウ型ＢＧＡパッケージ１００は主要に１つの基板１１０、１つのチップ１２０、１つのダイアタッチテープ１３０、複数のボンディングワイヤ１４０、１つの封止体１５０及び複数の外接端子１６０を備える。基板１１０は１つの内部表面１１１、１つの外部表面１１２及び内部表面１１１と外部表面１１２とを貫通する１つのスロット１１４を有する。チップ１２０は１つの主面１２１と主面１２１上にある複数のボンディングパッド１２４とを有する。チップ１２０を基板１１０上に設置するため、ダイアタッチテープ１３０はチップ１２０の主面１２１と基板１１０の内部表面１１１とを貼り付け、ダイアタッチの後にスロット１１４を露出する。チップ１２０の主面１２１上に１つの不活性化層１２５を形成する。ボンディングワイヤ１４０群はスロット１１４を通過してボンディングパッド１２４群を基板１１０に電気接続する。封止体１５０はチップ１２０とボンディングワイヤ１４０群とを密封する。外接端子１６０群は基板１１０の外部表面１１２に設置される。図１の拡大図に示すように、ダイアタッチテープ１３０がチップ１２０の主面１２１上にある不活性化層１２５の一部だけに貼り付けられることにより、封止と熱サイクル試験過程において生じた熱応力に起因するチップ１２０の側面の不活性化層１２５の剥離や断裂等の問題が容易に発生する。
【発明の開示】
【発明が解決しようとする課題】
【０００４】
本発明の主な目的は、一種のウインドウ型ＢＧＡパッケージ及びその製造方法を提供することである。該パッケージは、パッケージ全体の厚みを薄くすることが可能になるとともに、従来のウインドウ型ＢＧＡパッケージに対するチップの側面の剥離や断裂等の問題を有効に解決することができる。
【課題を解決するための手段】
【０００５】
上記目的を達成するため、本発明に係るウインドウ型ＢＧＡパッケージは、主要に１つの基板、１つの第一チップ、１つのダイアタッチ部材、複数の第一ボンディングワイヤ、１つの封止体及び複数の外接端子を備える。基板は、１つの内部表面、１つの外部表面、内部表面に形成した１つのダイアタッチ凹部及び外部表面からダイアタッチ凹部までを貫通する１つのスロットを有する。第一チップは、ダイアタッチ凹部に照準を合わせ基板の内部表面に設置されて、１つの第一主面、１つの第一背面及び第一主面と第一背面との間にある複数の側面を有する。ダイアタッチ部材は、ダイアタッチ凹部の内に形成されて第一チップの第一主面を貼り付ける。ダイアタッチ凹部はダイアタッチ部材の形状を制限することにより、ダイアタッチ部材が第一チップの側面群とダイアタッチ凹部の周縁との間の間隙に充填され、且つ第一チップの側面群の一部を被覆する。第一ボンディングワイヤ群はスロットを通過して第一チップと基板とを電気接続する。封止体は基板の内部表面上に形成されかつスロットに十分に充填されて、第一チップと第一ボンディングワイヤ群とを密封する。外接端子群は基板の外部表面に設置される。
【０００６】
さらに、第一チップは第一主面を被覆する１つの不活性化層を有してもよく、この不活性化層はダイアタッチ凹部の内に完全に埋め込まれることにより、不活性化層の周辺縁部はダイアタッチ部材に密封される。
またさらに、ダイアタッチ凹部の深さはダイアタッチ部材と不活性化層との厚み合計より大きく、第一チップの厚みより小さくなってもよく、第一チップの一部はダイアタッチ凹部の内に埋め込まれる。
【０００７】
またさらに、ダイアタッチ凹部の周縁は第一チップの外に位置してよいが、第一チップの側面群に緊密接近してもよい。
またさらに、ダイアタッチ部材はスロットの内に拡散してもよい。
またさらに、ダイアタッチ部材は第一ボンディングワイヤ群を第一チップの一端に密封してもよい。
【０００８】
またさらに、第一チップは第一主面に形成した複数の第一ボンディングパッドを有してもよく、この第一ボンディングパッド群はスロットに照準を合わせて第一ボンディングワイヤ群の接合用に用いられる。
またさらに、基板は１つの梯形ギャップを有してもよく、この梯形ギャップは外部表面とスロットとの側辺に形成される。
【０００９】
またさらに、外接端子群は複数の半田ボールを有してもよい。
またさらに、１つの第二チップを有してもよく、この第二チップは背中合わせに第一チップ上に積層されて複数の第二ボンディングパッドを有する。
またさらに、複数の第二ボンディングワイヤを有してもよく、この第二ボンディングワイヤ群は第二ボンディングパッド群を基板に電気接続する。
またさらに、封止体は第一チップの第一背面を被覆してもよい。
【００１０】
さらに本発明に係るウインドウ型ＢＧＡパッケージの製造方法は、先ず、１つの基板を提供し、この基板は１つの内部表面、１つの外部表面、内部表面に形成される１つのダイアタッチ凹部及び外部表面からダイアタッチ凹部までを貫通する１つのスロットを有する。そして、ダイアタッチ凹部の内に１つのダイアタッチ部材を形成する。次に、１つの第一チップを設置し、この第一チップはダイアタッチ凹部に照準を合わせて基板の内部表面に仮に貼り付けられる。第一チップは１つの第一主面、１つの第一背面及び第一主面と第一背面との間にある複数の側面を有する。ダイアタッチ部材は第一チップの第一主面を仮に貼り付け、そして、ワイヤボンディングを行って複数の第一ボンディングワイヤを形成し、この第一ボンディングワイヤ群はスロットを通過して第一チップと基板とを電気接続する。次に、ダイアタッチ拡散ステップを実施し、第一チップに圧力を印加することによりダイアタッチ部材の形状はダイアタッチ凹部に制限されるため、ダイアタッチ部材は拡散して第一チップの側面群とダイアタッチ凹部の周縁との間の間隙に充填され、第一チップの側面群の一部を被覆する。その後、１つの封止体を基板の外部表面上に形成しかつスロットに十分充填することにより第一チップと第一ボンディングワイヤ群とを密封する。最後に、基板の外部表面に複数の外接端子を設置する。
【００１１】
以上に述べたように、本発明のウインドウ型ＢＧＡパッケージ及びその製造方法は下記の利点と効果を有する。
（１）基板の内部表面にダイアタッチ凹部を形成しかつダイアタッチ凹部に第一チップの一部を埋め込むことにより、パッケージ全体の厚みを薄くすることが可能となる。
（２）ダイアタッチ部材を用いてダイアタッチ凹部と第一チップとの間の間隙を充填しかつ第一チップの側面の一部を被覆することにより、非平面のダイアタッチ区域を提供してダイアタッチ強度を増強する。
【００１２】
（３）ダイアタッチ部材を用いて第一チップの不活性化層の周辺縁部を密封することにより、第一チップの受ける応力が減少し、チップと不活性化層の剥離及び第一チップの側面の断裂の発生を避ける。
（４）ダイアタッチ部材を用いて第一ボンディングワイヤ群を第一チップの一端に密封することにより、封止過程において第一ボンディングワイヤ群がモールド流れの衝撃を受けることによる断線の発生を防止する。
（５）基板の梯形ギャップは基板の外部表面より低くすることにより、低いワイヤボンディング区域を提供し、比較的細いボンディングワイヤを用いてワイヤボンディング接合を行うことができ、ボンディングワイヤ露出のリスクを抑える。
【発明を実施するための最良の形態】
【００１３】
（第1実施形態）
本発明の第１実施形態によるウインドウ型ＢＧＡパッケージを図２の断面図を参照して説明する。
図２に示すように、ウインドウ型ＢＧＡパッケージ２００は、主に１つの基板２１０、１つの第一チップ２２０、１つのダイアタッチ部材２３０、複数の第一ボンディングワイヤ２４０、１つの封止体２５０及び複数の外接端子２６０より構成されている。基板２１０は１つの内部表面２１１、１つの外部表面２１２、内部表面２１１に形成した１つのダイアタッチ凹部２１３及び外部表面２１２からダイアタッチ凹部２１３までを貫通する１つのスロット２１４を有する。内部表面２１１は封止体２５０に露出しない基板２１０の１つの表面であり、第一チップ２２０の設置に用いられる。外部表面２１２は封止体２５０から露出する基板２１０の１つの表面であり、外接端子２６０群の設置に用いられる。スロット２１４は、中央スロットであってもよく、第一チップ２２０の複数の第一ボンディングパッド２２４を露出して第一ボンディングワイヤ２４０群の通過をさせる。第１実施形態において、基板２１０は１つの梯形ギャップ２１５を有し、この梯形ギャップ２１５は外部表面２１２とスロット２１４との側辺に形成されて第一ボンディングワイヤ２４０群の円弧高さを低くすることができる。具体的に言えば、図２に示すように、基板２１０は更に外部表面２１２に形成した複数の外接パッド２１７と複数の第一フィンガー２１６を有し、第一フィンガー２１６群は梯形ギャップ２１５に形成かつ排列されて第一ボンディングワイヤ２４０群と電気接続することに提供される。外接パッド２１７群はマトリックス排列或いは多列の周辺排列になってもよく、外接端子２６０群と接合することに提供される。基板２１０は更に１つのはんだマスク層２１８を有してもよく、このはんだマスク層２１８は外部表面２１２に形成されるが、外接パッド２１７群を露出する。第１実施形態において、はんだマスク層２１８は更に第一フィンガー２１６群を露出し梯形ギャップ２１５を形成する。一般に、基板２１０は一種の配線基板であり、例えば、印刷回路基板又はセラミック回路基板が有る。
【００１４】
図２に示すように、第一チップ２２０はダイアタッチ凹部２１３に照準を合わせて基板２１０の内部表面２１１上に設置され、１つの第一主面２２１、１つの第一背面２２２及び第一主面２２１と第一背面２２２との間の複数の側面２２３を有する。具体的に言えば、第一チップ２２０は、ダイアタッチ凹部２１３よりサイズがやや小さくなってもよい。また、第一チップ２２０の一部は第一主面２２１が基板２１０に向かうようにダイアタッチ凹部２１３に埋め込まれる。ダイアタッチ凹部２１３の周縁２１３Ａは第一チップ２２０の外に位置してもよいが、第一チップ２２０の側面２２３群に緊密接近し、よって、側面２２３群とダイアタッチ凹部２１３の周縁２１３Ａとの間に１つの間隙Ｓが形成される。第一チップ２２０の第一主面２２１に形成された第一ボンディングパッド２２４群はスロット２１４の内に照準を合わせて第一ボンディングワイヤ２４０群と接合するのに用いられる。第１実施形態において、第一ボンディングパッド２２４群は第一主面２２１の中央辺りに位置し、即ち、中央ボンディングパッドと見なされることができる。また、第一ボンディングパッド２２４群は第一チップ２２０の内部にある集積回路が外部と接続する電極となり、材質としてアルミ、銅又はアルミ合金を採用してもよい。図２の拡大図に示すように、第一チップ２２０は更に第一主面２２１を被覆する１つの不活性化層２２５を有し、この不活性化層２２５は第一ボンディングパッド２２４群を露出し、ポリイミド（Polyimide、ＰＩ）、ＢＣＢ樹脂（Benzocyclobutene、ＢＣＢ）、シリサイド（Silicide）の中から何れかを用いることができ、ここで、シリサイドはシリカ（Silica）又は窒化シリコン（Silicone Nitride）を含む。
【００１５】
再び図２を参照する。ダイアタッチ部材２３０はダイアタッチ凹部２１３の内に形成されて第一チップ２２０の第一主面２２１を貼り付ける。ダイアタッチ凹部２１３によりダイアタッチ部材２３０の形状は制限されるので、ダイアタッチ部材２３０は第一チップ２２０の側面２２３群とダイアタッチ凹部２１３の周縁２１３Ａとの間の間隙Ｓに充填され、且つ第一チップ２２０の側面２２３群の一部までを被覆することによって、ダイアタッチ部材２３０の接着範囲が増加するとともに、ダイアタッチ区域を非平面（ほぼＵ字形の断面となる）にさせ、第一チップ２２０と基板２１０との接着力を増強できる。また、ダイアタッチ凹部２１３の深さＤが、ダイアタッチ部材２３０と不活性化層２２５との厚み合計Ｔより大きくなって第一チップ２２０の厚みより小さくなることが好ましく、それにより、第一チップ２２０の一部をダイアタッチ凹部２１３の内に埋め込ませてパッケージ全体の厚みを薄くすることが可能となる。ここで、ダイアタッチ部材２３０の厚みは不活性化層２２５からダイアタッチ凹部２１３の底面までのダイアタッチ部材２３０最短距離とみなされる。好ましくは、第一チップ２２０の不活性化層２２５がダイアタッチ凹部２１３の内に完全に埋め込まれ、それにより、不活性化層２２５の周辺縁部はダイアタッチ部材２３０に密封されて不活性化層２２５の第一チップ２２０から剥離現象の発生を避ける。ダイアタッチ部材２３０はＢ‐ステージ接着剤（B-stage adhesive）を採用することができ、このＢ‐ステージ接着剤はマルチステージ硬化特性を有して第一チップ２２０の側面２２３群を被覆する効果を調整する。
【００１６】
図２を再び参照する。第一ボンディングワイヤ２４０群はスロット２１４を通過して第一チップ２２０の第一ボンディングパッド２２４群を基板２１０の第一フィンガー２１６群に電気接続して第一チップ２２０と基板２１０との間を電気的に相互接続する。第一ボンディングワイヤ２４０群はワイヤボンディング方法で形成されることができ、材質としては金又は銅等の導電材料が適当である。第一フィンガー２１６群は梯形ギャップ２１５に位置するため、基板２１０と第一チップ２２０との間は比較的短いワイヤボンディング高度差を有し、第一ボンディングワイヤ２４０群の円弧高さが低くなり、比較的細いボンディングワイヤを採用してワイヤボンディング接合を行うことができる。また、ダイアタッチ部材２３０は更にスロット２１４の内まで拡散し、好ましくは、ダイアタッチ拡散を介し第一チップ２２０の一端に第一ボンディングワイヤ２４０群を更に密封してモールド流れの衝撃によるボンディングワイヤの断線を防止する。
【００１７】
図２に示すように、封止体２５０は基板２１０の内部表面２１１に形成されるだけでなく、スロット２１４に十分に充填されて第一チップ２２０と第一ボンディングワイヤ２４０群を密封する。第１実施形態では、封止体２５０は第一チップ２２０の第一背面２２２を被覆することができるが、他の実施形態では、第一チップ２２０の第一背面２２２を露出して放熱効果を増加してもよい（図示せず）。
【００１８】
図２に示すように、外接端子２６０群は基板２１０の外部表面２１２にある外接パッド２１７に設置され、ウインドウ型ＢＧＡパッケージ２００の入力端及び／或は出力端として利用されて外部の装置（例えば、外部の印刷回路基板）と電気接続する。外接端子２６０群は半田ボール、金属ボール、ソルダペースト、接触パッド又は接触ピンを有していてもよい。
【００１９】
従って、ダイアタッチ凹部２１３によって、ダイアタッチ部材２３０のダイアタッチ拡散が有効に制御されるようになるため、第一チップ２２０の側面２２３群の一部までが被覆され、ダイアタッチ面積を有効に増加することができるとともに、ダイアタッチ区域を非平面にすることもできる。その結果、パッケージ全体の厚みを薄くすることが可能となり、ダイアタッチ強度を増強することもでき、且つ不活性化層２２５は第一チップ２２０から剥離することなく、第一チップ２２０の側面２２３群が断裂することを避けることができる。また、ダイアタッチ凹部２１３により、ダイアタッチ部材２３０は基板２１０の周縁に拡散することがないので、ダイアタッチ部材２３０は封止体２５０に完全密封されて良好な耐湿性を確保する。ダイアタッチ部材２３０は更に第一チップ２２０の一端に第一ボンディングワイヤ２４０群を密封すれば好ましく、それにより、封止過程における第一ボンディングワイヤ２４０群がモールド流れの衝撃を受けて断線することも防止する。
【００２０】
次に、図３及び図４Ａから図４Ｅを参照しながら本発明の第１実施形態によるウインドウ型ＢＧＡパッケージの製造方法を説明する。図３は製造のフローチャートを示し、図４Ａから図４Ｅは製造過程における素子の断面図を示す。
図３に示すように、ウインドウ型ＢＧＡパッケージの製造過程は、主要に「基板を提供する」ステップ１、「仮にダイアタッチする」ステップ２、「電気接続」ステップ３、「ダイアタッチ拡散」ステップ４、「封止体を形成する」ステップ５及び「外接端子を設置する」ステップ６等を含む。
【００２１】
先ず、「基板を提供する」ステップ１を実施する。すなわち、図４Ａに示すように、基板２１０を提供する。基板２１０の内部表面２１１にはダイアタッチ凹部２１３とスロット２１４とが形成される。スロット２１４は外部表面２１２からダイアタッチ凹部２１３までを貫通し、ダイアタッチ凹部２１３の内にダイアタッチ部材２３０を形成する。ここで、ダイアタッチ凹部２１３を機械的に形成する時に基板２１０の内部にある配線構成を破壊することがないようにダイアタッチ凹部２１３の底面には配線層を設けない。ダイアタッチ部材２３０はマルチステージ硬化の稠密接着剤を採用すれば好ましく、基板２１０形成の時にダイアタッチ部材２３０は優れた流動性を有するため、スクリーン印刷又は鋼板印刷の方法でダイアタッチ凹部２１３に形成されることができる。ダイアタッチ部材２３０は、スロット２１４を露出させるためダイアタッチ凹部２１３に十分充填されず、且つ基板２１０の内部表面２１１と同一平面又は内部表面２１１よりやや高くなる。基板２１０の第一フィンガー２１６群は外接パッド２１７群と同一配線層になる。基板２１０は更に１つのはんだマスク層２１８を有し、はんだマスク層２１８は外部表面２１２に形成されて外接パッド２１７群を露出し、更に１つの梯形ギャップ２１５を構成し、梯形ギャップ２１５は第一フィンガー２１６群を露出する。
【００２２】
次に、「仮にダイアタッチする」ステップ２を実施する。すなわち、図４Ｂに示すように、第一チップ２２０は、ダイアタッチ凹部２１３に照準を合わせて基板２１０の内部表面２１１にダイアタッチ部材２３０で仮に貼り付けられる。第一チップ２２０はダイアタッチ凹部２１３の内にわずかに落ち込んでもダイアタッチ部材２３０が変形しすぎることがなく、ダイアタッチ部材２３０のオーバーフロー範囲も変わらない。ここで、ダイアタッチ部材２３０は第一チップ２２０の第一主面２２１を仮に貼り付け、第一チップ２２０の第一ボンディングパッド２２４群はスロット２１４の内に照準を合わせる。具体的に言えば、ステップ２において、基板２１０をバーンイン（burn-in）する必要が有り、それにより、ダイアタッチ部材２３０は室温で半硬化状態になって粘着性を有して第一チップ２２０を貼り付けるのに用いられる。この時、ダイアタッチ温度を利用してダイアタッチ部材２３０を比較的低い流動性に調整するため、ダイアタッチ部材２３０は窪み易くならない外形を有して第一ボンディングワイヤ２４０群まで流れかつ被覆することにより、ワイヤボンディングを行えなくなる問題を避ける。
【００２３】
次に、「電気接続」ステップ３を実施する。すなわち、図４Ｃに示すように、ワイヤボンディング法で形成した第一ボンディングワイヤ２４０群はスロット２１４を通過して第一チップ２２０の第一ボンディングパッド２２４群を基板２１０の第一フィンガー２１６群に電気接続する。
次に、「ダイアタッチ拡散」ステップ４を実施する。すなわち、図４Ｄに示すように、第一チップ２２０に加熱加圧することにより、ダイアタッチ部材２３０は拡散し、第一チップ２２０はダイアタッチ凹部２１３の内により落ち込む。このステップ４における加熱温度と印加圧力はステップ２における操作温度と圧力より高くなる。第一チップ２２０がダイアタッチ凹部２１３に押圧及び貼着される時、温度の上昇によってダイアタッチ部材２３０に優れた流動性を与えることになるが、ダイアタッチ部材２３０の形状はダイアタッチ凹部２１３に制限されるため、ダイアタッチ部材２３０は拡散して第一チップ２２０の側面２２３群とダイアタッチ凹部２１３の周縁との間の間隙Ｓ（図２参照）に流れ込み、更に第一チップ２２０の側面２２３群の一部を被覆することとなる。なお、ダイアタッチ部材２３０は第一ボンディングワイヤ２４０群の形成後に拡張変形を起こし始めるので、たとえダイアタッチ部材２３０が第一ボンディングワイヤ２４０群へ流れ込んでもワイヤボンディング実行不可の問題にならないだけでなく、第一ボンディングワイヤ２４０群の固定にも役立つ。ステップ４において、ダイアタッチ部材２３０は更にスロット２１４の内に拡散すれば好ましく、第一ボンディングワイヤ２４０群の一端を被覆してもよく、ダイアタッチ部材２３０が硬化した後に第一ボンディングワイヤ２４０群の一端が固定封止されることにより、後続の封止過程における第一ボンディングワイヤ２４０群がモールド流れの衝撃を受けて断線することを防止する。第１実施形態において、ダイアタッチ部材２３０の硬化を「ダイアタッチ拡散」ステップ４と同時に又はその後に実施してもよいし、又は「封止体を形成する」ステップ５の過程において完成しても構わない。また、図２及び図３に示すように、より具体的に言えば、「ダイアタッチ拡散」ステップ４において、第一チップ２２０の不活性化層２２５はダイアタッチ凹部２１３の内に完全埋め込まれるため、不活性化層２２５の周辺縁部はダイアタッチ部材２３０に密封される。
【００２４】
その後、「封止体を形成する」ステップ５を実施する。すなわち、図４Ｅに示すように、トランスファモールド（transfer mold）技術を用い封止体２５０を基板２１０の内部表面２１１上に形成し、更にスロット２１４に十分充填して第一チップ２２０と第一ボンディングワイヤ２４０群とを密封する。ダイアタッチ凹部２１３がダイアタッチ部材２３０の形状を制限することにより、ダイアタッチ部材２３０は基板２１０の周辺へ拡散しないので、封止体２５０に完全密封されることができる。
【００２５】
最後に、「外接端子を設置する」ステップ６を実施する。すなわち、リフロー技術を用いて外接端子２６０群を外接パッド２１７群に設置すると、図２に示すようなウインドウ型ＢＧＡパッケージ２００の構成になる。尚、他の実施形態において、ウインドウ型ＢＧＡパッケージ２００の製造方法は更に１つの第二チップ（図示せず）の設置ステップを含み、第二チップは背中合わせに第一チップ２２０の第一背面２２２上に積層されてもよい。
【００２６】
（第２実施形態）
本発明の第２実施形態によるウインドウ型ＢＧＡパッケージを図５の断面図を参照しながら説明する。第２実施形態のウインドウ型ＢＧＡパッケージの構成は第１実施形態と基本的に同じであるが、より多いチップを積層することができる。
図５に示すように、ウインドウ型ＢＧＡパッケージ３００は、主要に１つの基板２１０、１つの第一チップ２２０、１つのダイアタッチ部材２３０、複数の第一ボンディングワイヤ２４０、１つの封止体２５０及び複数の外接端子２６０より構成されている。基板２１０は１つの内部表面２１１、１つの外部表面２１２、内部表面２１１に形成した１つのダイアタッチ凹部２１３及び外部表面２１２からダイアタッチ凹部２１３までを貫通する１つのスロット２１４を有する。基板２１０は１つの梯形ギャップ２１５を有してもよく、この梯形ギャップ２１５は外部表面２１２とスロット２１４の側辺とに形成される。第２実施形態において、梯形ギャップ２１５の両側にある外部表面２１２に複数の第一フィンガー２１６を形成してもよく、そして、ダイアタッチ凹部２１３の外部にある内部表面２１１にも複数の第二フィンガー３１９を形成してよい。基板２１０は多層印刷回路基板を用いることができ、それにより、第一フィンガー２１６群と第二フィンガー３１９群とを外部表面２１２の複数の外接パッド２１７に電気接続させることが可能となる。第一チップ２２０はダイアタッチ凹部２１３に照準を合わせて基板２１０の内部表面２１１上に設置される。第一チップ２２０は１つの第一主面２２１、１つの第一背面２２２及び第一主面２２１と第一背面２２２との間にある複数の側面２２３を有する。図５に示すように、ダイアタッチ部材２３０はダイアタッチ凹部２１３の内に形成されて第一チップ２２０の第一主面２２１を貼り付ける。ダイアタッチ部材２３０の形状はダイアタッチ凹部２１３に制限されるため、ダイアタッチ部材２３０は第一チップ２２０の側面２２３群とダイアタッチ凹部２１３の周縁２１３Ａとの間の間隙に充填されるとともに、第一チップ２２０の側面２２３群までを被覆することにより、第一チップ２２０の一部はダイアタッチ凹部２１３の内に埋め込まれてパッケージ全体の厚みを薄くする。
【００２７】
図５に示すように、第一チップ２２０は第一主面２２１に形成した複数の第一ボンディングパッド２２４を有し、この第一ボンディングパッド２２４群はスロット２１４の内に照準を合わせている。第一ボンディングワイヤ２４０群はスロット２１４を通過して第一チップ２２０の第一ボンディングパッド２２４群を基板２１０の第一フィンガー２１６群に電気接続する。第２実施形態において、ウインドウ型ＢＧＡパッケージ３００は更に１つの第二チップ３７０を備え、この第二チップ３７０は１つの第二主面３７１及び第二主面３７１に相対する一つの第二背面３７２を有する。第二チップ３７０は背中合わせに第一チップ２２０の第一背面２２２上に設置され、即ち、第二チップ３７０の第二背面３７２は第一チップ２２０の第一背面２２２に貼り付けられ、第二主面３７１は上に向かっている。第二チップ３７０は更に第二主面３７１に形成した複数の第二ボンディングパッド３７４を有する。第２実施形態において、第二チップ３７０は実質的に第一チップ２２０と同じチップであり、例えば、チップサイズ、電気機能及びボンディングパッド配置は皆一致し、且つ第二ボンディングパッド３７４群は中央ボンディングパッドにもなるので、チップ種類が減少し、チップの製造と管理コストを下げることができる。また、複数の第二ボンディングワイヤ３４１を用い第二ボンディングパッド３７４群を基板２１０の第二フィンガー３１９群に電気接続することにより、第二チップ３７０と基板２１０との間を電気的に相互接続する。封止体２５０は基板２１０の内部表面２１１上に形成されかつスロット２１４に十分充填されて第一チップ２２０、第二チップ３７０、第一ボンディングワイヤ２４０群及び第二ボンディングワイヤ３４１群を密封する。外接端子２６０群は外部と接合するため基板２１０の外部表面２１２にある外接パッド２１７群に設置される。
【００２８】
ダイアタッチ部材２３０の形状はダイアタッチ凹部２１３に制限されるため、ダイアタッチ部材２３０が伸びて第一チップ２２０の側面２２３群の一部までを被覆しても基板２１０の内部表面２１１の周辺へ流れ込むことがなく、第二フィンガー３１９群の汚染が避けられる。その結果、ウインドウ型ＢＧＡパッケージ３００にとって、内部表面２１１にオーバーフロー誤差許容値を用意する必要がない故にパッケージ全体のサイズを縮小することが可能となる。以上述べたように、ウインドウ型ＢＧＡパッケージ３００は、パッケージ全体の厚みを薄くするだけでなくダイアタッチ強度が増強されることでチップ剥離も避けられ、更にパッケージ全体のサイズを縮小することができる。
以上、本発明をその好適な実施形態に基づいて説明したが、本発明の保護範囲は特許申請範囲で限定されて、この保護範囲に基準して、本発明の精神と範囲内に触れるどんな変更や修正は本発明の保護範囲に属する。
【図面の簡単な説明】
【００２９】
【図１】周知のウインドウ型ＢＧＡパッケージを示す断面図及びその一部を拡大した部分断面図である。
【図２】本発明の第１実施形態によるウインドウ型ＢＧＡパッケージを示す断面図及びその一部を拡大した部分断面図である。
【図３】本発明の第１実施形態によるウインドウ型ＢＧＡパッケージの製造方法を示すフローチャートである。
【図４Ａ】本発明の第１実施例形態によるウインドウ型ＢＧＡパッケージの製造過程を示す断面図である。
【図４Ｂ】本発明の第１実施例形態によるウインドウ型ＢＧＡパッケージの製造過程を示す断面図である。
【図４Ｃ】本発明の第１実施例形態によるウインドウ型ＢＧＡパッケージの製造過程を示す断面図である。
【図４Ｄ】本発明の第１実施例形態によるウインドウ型ＢＧＡパッケージの製造過程を示す断面図である。
【図４Ｅ】本発明の第１実施例形態によるウインドウ型ＢＧＡパッケージの製造過程を示す断面図である。
【図５】本発明の第２実施形態によるウインドウ型ＢＧＡパッケージを示す断面図である。
【符号の説明】
【００３０】
Ｓ：第一チップの側面とダイアタッチ凹部の周縁との間の間隙、Ｄ：ダイアタッチ凹部の深さ、Ｔ：ダイアタッチ部材と不活性化層との厚み合計、２００：ウインドウ型ＢＧＡパッケージ、２１０：基板、２１１：内部表面、２１２：外部表面、２１３：ダイアタッチ凹部、２１３Ａ：周縁、２１４：スロット、２１５：梯形ギャップ、２１６：第一フィンガー、２１７：外接パッド、２１８：はんだマスク層、２２０：第一チップ、２２１：第一主面、２２２：第一背面、２２３：側面、２２４：第一ボンディングパッド、２２５：不活性化層、２３０：ダイアタッチ部材、２４０：第一ボンディングワイヤ、２５０：封止体、２６０：外接端子、３００：ウインドウ型ＢＧＡパッケージ、３１９：第二フィンガー、３４１：第二ボンディングワイヤ、３７０：第二チップ、３７１：第二主面、３７２：第二背面、３７４：第二ボンディングパッド
【図１】
2010073994.tif 000003
【図２】
2010073994.tif 000004
【図３】
2010073994.tif 000005
【図４Ａ】
2010073994.tif 000006
【図４Ｂ】
2010073994.tif 000007
【図４Ｃ】
2010073994.tif 000008
【図４Ｄ】
2010073994.tif 000009
【図４Ｅ】
2010073994.tif 000010
【図５】
2010073994.tif 000011